(57)【特許請求の範囲】
【請求項１】
相互に連結される複数の壁用部材（１）からなるパーティションシステム（２，１０）であって、
少なくとも１つの壁用部材（１）が段付き部材（１００，１５０）として設計されており、
前記段付き部材（１００，１５０）が、互いに平行に配向されている２つの当接面（１０１，１０２；１５１，１５２）を備えており、
前記段付き部材（１００，１５０）が、特に互いに平行に配向されている第一及び第二の外観面（１０３，１０４；１５３，１５４）を備えており、
前記第一の外観面（１０３；１５３）が、前記段付き部材（１００，１５０）の下方端縁（１０５，１５５）から上方端縁（１０６，１５６）まで連続して延びており、
前記第二の外観面（１０４；１５４）がずらされた外観面（１０４；１５４）として設計されており、該ずらされた外観面（１０４；１５４）は少なくとも２つの副外観面（１０７，１０８；１５７〜１６０）を備えており、該少なくとも２つの副外観面（１０７，１０８；１５７〜１６０）は支持面（１１０；１６４〜１６６）を有する少なくとも１つの段部（１０９；１６１〜１６３）を介して互いにつながっており、
少なくとも１つの壁用部材（１）がコーナー用部材（２００，２５０）として設計されており、
前記コーナー用部材（２００，２５０）が２つの当接面（２０１，２０２；２５３，２５４）を備えており、該２つの当接面（２０１，２０２；２５３，２５４）は互に対して２０°〜１６０°の角度（α）で配向されており、
前記コーナー用部材（２００，２５０）は第一及び第二の外観面（２０３，２０４；２５５，２５６）を備えており、
前記第一の外観面（２０３，２５５）が前記コーナー用部材（２００，２５０）の下方端縁（２０５，２５７）から上方端縁（２０６，２５８）まで連続して延びており、
前記第二の外観面（２０４，２５６）は少なくとも１つの段部（２０７；２６３〜２６５）を備えており、該少なくとも１つの段部（２０７；２６３〜２６５）は、支持面（２０８，２６６〜２６８）と少なくとも１つの副外観面（２０９；２５９〜２６２）を備えており、
互いに隣接している壁用部材（１）の前記当接面（１０１，１０２；１５１，１５２；２０１，２０２；２５３，２５４）が合同であり、
互いに隣接している壁用部材（１）が、前記当接面（１０１，１０２；１５１，１５２；２０１，２０２；２５３，２５４）を介して相互に対向しており且つ特に少なくとも１つの連結手段（４，５）によって相互に連結されている、ことを特徴とするパーティションシステム。
【請求項２】
当該パーティションシステム（２，１０）が連結用部材（３００）として設計されている少なくとも１つの壁用部材（１）を備えており、前記連結用部材（３００）が３つの互いに直角な当接面（３０１〜３０３）を備えている、ことを特徴とする請求項１に記載のパーティションシステム。
【請求項３】
当該パーティションシステム（２，１０）が交差用部材（４００）として設計されている少なくとも１つの壁用部材（１）を備えており、前記交差用部材（４００）が４つの互いに直角な当接面（４０１〜４０４）を備えており、該当接面（４０１〜４０４）が特に互いに平行な面の対とされている、ことを特徴とする請求項１〜２のうちのいずれか一の項に記載のパーティションシステム。
【請求項４】
当該パーティションシステム（２，１０）が、方向転換用部材（５００，５５０，５８０）として設計されている少なくとも１つの壁用部材（１）を備えており、
前記方向転換用部材（５００，５５０，５８０）が直角な２つの当接面（５０１，５０２；５５１，５５２）を備えており、
前記方向転換用部材（５００，５５０，５８０）が２つの外観面（５０３，５０４；５５３，５５４）を備えており、
各外観面（５０３，５０４；５５３，５５４）が、支持面（５０７，５０８；５６１〜５６６）を有する少なくとも１つの段部（５０５，５０６；５５５〜５６０）を備えており、
前記２つの当接面（５０１，５０２；５５１，５５２）が、垂直ミラー軸線（ＳＡ５００、ＳＡ５５０，ＳＡ５８０）に関して相互に軸線対称な関係で配向されている、ことを特徴とする請求項１〜３のうちのいずれか一の項に記載のパーティションシステム。
【請求項５】
少なくとも１つの壁用部材（１）を備えているパーティションシステム（１０）であって、
前記壁用部材（１）が少なくとも２つの当接面（１０１，１０２；１５１，１５２）を備えており、
前記壁用部材（１）が少なくとも２つの外観面（１０３，１０４；１５３；１５４）を備えており、
前記外観面（１０４；１５４）のうちの少なくとも１つがずらされた外観面（１０４；１５４）として設計されており、該ずらされた外観面（１０４；１５４）が、第一、第二及び第三の段部（１０９；１６１〜１６３）を介して互いに併合されている４つの副外観面（１０７，１０８；１５７〜１６０）を備えている、ことを特徴とするパーティションシステム。
【請求項６】
前記外観面（１５３；２５５，２５６；４５５〜４５８；５５３，５５４）のうちの少なくとも１つが、壁用部材（１）の下方端縁（１５５；２５７）から上方端縁（１５６；２５８）まで連続して延びており、
前記第一乃至第三の段部（１６１〜１６３；２６３〜２６５；４６７〜４６９，４７０〜４７２；５５５〜５６０）が、各々、支持面（１６４〜１６６；２６６〜２６８；５６１〜５６６）を備えており、
当該パーティションシステム（１０）が少なくとも１つの連結手段（４０，４１）を備えており、互いに隣接する壁用部材（１）が前記少なくとも１つの連結手段（４０，４１）によって相互に連結されている、ことを特徴とする請求項５に記載のパーティションシステム。
【請求項７】
前記第一の段部（１６１，２６３，４６７，４７０，５５５，５５８）が、ベンチの高さに横たわっていて、約４５ｃｍ〜５５ｃｍの高さを有しており、
前記第二の段部（１６２，２６４，４６８，４７１，５５６，５５９）が、作業面高さに横たわっていて、約６５ｃｍ〜７２ｃｍの高さを有しており、
前記第三の段部（１６３，２６５．４６９，４７２，５５７，５６０）が、キッチンカウンタの高さに横たわっていて、約８４ｃｍ〜９０ｃｍの高さ（ｃ）を有しており、
最も上方の副外観面（１６０，２０９，２６２，３１２，４１１，４６２，４６６）が頂面（１６７，２１０，２６９，３１３，４１４，４７３，５１１，５６７）に連接されている第四の段部（４７５，４７６）であって、カウンタの高さに横たわっていて、１０４ｃｍ〜１１０ｃｍの高さ（ｄ）を有している第四の段部（４７５，４７６）を備えており、
前記壁用部材（１）の最も下方の前記第一の段部（１６１，２６３，４６７，４７０，５５５）の部分が約３４ｃｍ〜３８ｃｍの幅（ｅ）を有しており、
前記壁用部材（１）の前記第一の段部（１６１，２６３，４６７，４７０，５５５）と前記第二の段部（１６２，２６４，４６８，４７１，５５６）との間の部分が、約２３ｃｍ〜２８ｃｍの幅（ｆ）を有しており、
前記壁用部材（１）の前記第二の段部（１６２，２６４，４６８，４７１，５５６）と前記第三の段部（１６３，２６５，４６９，４７２，５５７）との間の部分が、約１３ｃｍ〜１９ｃｍの幅（ｇ）を有しており、
前記壁用部材（１）の前記第三の段部（１６３，２６５，４６９，４７２，５５７）の上方の部分が、約３ｃｍ〜８ｃｍの幅（ｈ）を有しており、
各幅（ｅ〜ｈ）が、各々、前記壁用部材（１）の前記当接面（１５１，１５２；２５３，２５４；４５１〜４５４；５５１，５５２）のうちの一つにおいて測定されたものである、ことを特徴とする請求項１〜６のうちのいずれか一の項に記載のパーティションシステム。
【請求項８】
当該パーティションシステム（２，１０）が少なくとも１つの什器用部材（６００，６０１）を備えており、該什器用部材が、特定の場合にはシート用部材（６０２）として、且つ／又は特定の場合にはテーブル用部材（６０４）として、且つ／又は特定の場合には作業台用部材として、且つ／又は特定の場合にはカウンタ用部材として設計されており、前記什器用部材（６００，６０１）は特に少なくとも１つの壁用部材（１）上に支持されており、該什器用部材（６００，６０１）は前記壁用部材（１）に嵌め込み形態で連結されている、ことを特徴とする請求項１〜７のうちのいずれか一の項に記載のパーティションシステム。
【請求項９】
前記壁用部材（１）が頂面（１１１，１６７，２１０，２６９，３１３，４１４，４７３，５１１，５６７）を備えており、該頂面は、前記当接面（１０１，１０２；１５１，１５２；２０１，２０２；２５３，２５４；３０１〜３０３；４０１〜４０４；４５１〜４５４；５０１，５０２；５５１，５５２）と連接しており且つ底面（１１２，１６８，２１１，２７０，３１４，４１５，４７４，５１２，５６８）と平行であり、
段付き部材（１００，１５０）においては、特に段付き部材（１００，１５０）の第１の外観面（１０３，１５３）と段付き部材（１００，１５０）の上方の副外観面（１０８；１６０）とが頂面（１１１；１６７）によってつながっており、
コーナー用部材（２００，２５０）においては、コーナー用部材２００，２５０）の第１の外観面（２０３；２５５）とコーナー用部材（２００，２５０）の上方の副外観面（２０９；２６２）とが頂面（２１０；２６９）によってつながっている、ことを特徴とする請求項１〜８のうちのいずれか一の項に記載のパーティションシステム。
【請求項１０】
前記壁用部材（１）が中実材料によって形成され且つ前記壁用部材（１）の形状を決めているコア（Ｋ）を備えており、
前記中実材料が、特定の場合にはプラスチックによって形成されており、特定の場合には発泡材によって形成されており、特定の場合には硬質発泡材によって形成されており、特定の場合には容積対重量比が約２０ｋｇ／ｍ３〜７０ｋｇ／ｍ３特に約４０ｋｇ／ｍ３の発泡性ポリスチレン（ＥＰＳ）によって形成されており、又は特定の場合には容積対重量比が約２０ｋｇ／ｍ３〜７０ｋｇ／ｍ３特に約４０ｋｇ／ｍ３の発泡性ポリプロピレン（ＥＰＰ）によって形成されている、ことを特徴とする請求項１〜９のうちのいずれか一の項に記載のパーティションシステム。
【請求項１１】
前記壁用部材（１）のうちの一つにおける少なくとも一つの前記段部（１０９；１６１〜１６３；２０７；２６３〜２６５；３０４，３０５；４０５，４０６；４６７〜４６９，４７０〜４７２；５０５，５０６；５５５〜５６０）が溝（１１３；１６９〜１７１；２７１〜２７３；５７０〜５７５）を備えており、該溝は、前記壁用部材の前記当接面（１０１，１０２；１５１，１５２；２０１，２０２；２５３，２５４；３０１〜３０３；４０１〜４０４；５０１，５０２；１５１，１５２；２５３，２５４；５５１，５５２）のうちの少なくとも１つに対して垂直方向上方に開口しており、且つ特別な場合には横方向に開口している、ことを特徴とする請求項１〜１０のうちのいずか一の項に記載のパーティションシステム。
【請求項１２】
前記壁用部材（１）が、特に、該壁用部材（１）の底面（１１２，１６８，２１１，２７０，３１４，４１５，４７４，５１２，５６８）内のずれた部分によって形成されている第一のケーブルダクト（２０，５６９）を備えており、前記ずれた部分はまた、前記当接面（１０１，１０２；１５１，１５２；２０１，２０２；２５３，２５４；３０１〜３０３；４０１〜４０４；４５１〜４５４；５０１，５０２；５５１，５５２）に対して開口しており、前記壁用部材（１）が、特に、穴によって形成されている少なくとも１つの第二のケーブルダクト（２１；２１ａ〜２１ｃ）を備えており、該第二のケーブルダクト（２１；２１ａ〜２１ｃ）が、頂面（１１１，１６７，２１０，２６９，３１３，４１４，４７３，５１１，５６７）又は支持面（１１０；１６４〜１６６；２０８；２６６〜２６８；３０６，３０７；５６１〜５６６）又は溝（１１３；１６９〜１７１；２７１〜２７３；５７０〜５７５）のうちの１つから、前記第一のケーブルダクト（２０，５６９）又は前記底面（１１２，１６８，２１１，２７０，３１４，４１５，４７４，５１２，５６８）まで延びている、ことを特徴とする請求項１〜１１のうちのいずれか一の項に記載のパーティションシステム。
【請求項１３】
前記壁用部材（１）がその上をガイドされる床レールシステム（３１）を備えており、該床レールシステム（３１）は床（３６）上に取り付けられた複数のガイド部材（３０，３７）を備えており、該ガイド部材（３０，３７）は特に少なくとも１つの垂直部（３８，３９）を備えており、該少なくとも１つの垂直部（３８，３９）は、部屋内で直角であり且つ特に前記壁用部材（１）に当接しているか又は特に壁用部材（１）に食い込んでいる、ことを特徴とする請求項１〜１２のうちのいずれか一の項に記載のパーティションシステム。
【請求項１４】
前記連結手段（４，５；４０，４１）がクランプ（４２，４３）として設計されており、該クランプ（４２，４３）が相互に平行に延びている２本のピン（５１，５２）を備えており、前記壁用部材（１）が、特に底面（１１２，１６８，２１１，２７０，３１４，４１５，４７４，５１２，５６８）内に且つ／又は特に溝（１１３；１６９〜１７１；２７１〜２７３；５７０〜５７５）内に少なくとも１つの穴（４９ａ，４９ｂ）を備えており、該少なくとも１つの穴（４９ａ，４９ｂ）は垂直方向に延びており且つ該少なくとも１つの穴内に前記クランプ（４２，４３）の一端を挿入することができ、互いに隣接している壁用部材（１；１ａ，１ｂ）の前記穴（４９ａ，４９ｂ）と前記クランプ（４２，４３）とは、該クランプ（４２，４３）が互いに隣接している壁用部材（１；１ａ，１ｂ）を相互に連結させて、その当接面（１０１，１０２；１５１，１５２；２０１，２０２；２５３，２５４；３０１〜３０３；４０１〜４０４；４５１〜４５４；５０１，５０２；５５１，５５２）が接するように相互に組み合わされている、ことを特徴とする請求項１〜６のうちのいずれか一の項に記載のパーティションシステム。
【請求項１５】
前記クランプ（４２，４３）が支持部材（５０）と調整可能な足部（５３）とを備えており、該クランプ（４２，４３）の前記２本のピン（５１，５２）は、前記支持部材（５０）に取り付けられており且つ第一の方向を向いており、前記調整可能な足部（５３）が前記支持部材（５０）上の前記クランプ（４２，４３）の前記ピン（５１，５２）の間の中心に配置されており且つ第二の方向を向いており、前記第二の方向は前記第一の方向と反対である、ことを特徴とする請求項１４に記載のパーティションシステム。
【発明の詳細な説明】
【技術分野】
【０００１】
本発明は、特許請求の範囲の請求項１に記載されている、一つの壁用部材がもう一つの別の壁用部材に結合される複数の壁用部材からなるパーティションシステム、及び請求項５に記載されている少なくとも１つの壁用部材を備えているパーティションシステムに関する。
【背景技術】
【０００２】
ＮＬ １ ０３３ １１９（オランダ特許出願公開公報）には、各々が２つの構成部品によって構成されている支柱からなる部屋の仕切りが開示されている。
【０００３】
本発明は、その輪郭が個々の要件に適合でき且つ単なるパーティションの提供を超える価値を有する簡単なパーティションシステムを提供することを目的としている。
【０００４】
この目的は、請求項１の特徴及び請求項５の特徴によって達成される。従属項には、有利で且つ適切な進展せしめられた態様が示されている。
【発明の概要】
【０００５】
本発明によるパーティションシステムは、一つの壁用部材がもう一つの壁用部材に結合される複数の壁用部材を備えており、該パーティションシステムにおいては、少なくとも１つの壁用部材が段付き部材として設計されており、少なくとも１つの壁用部材がコーナー用部材として設計されており、前記段付き部材は互いに平行に配向されている２つの当接面を備えており、該段付き部材は互いに平行に配向されている２つの外観面を備えており、第一の外観面は前記の段付き部材の下方端縁から上方端縁まで連続して延びており、第二の外観面はずらされた外観面として設計されており、該ずらされた外観面は、支持面を形成している少なくとも１つの段部によって互いにつなげられる少なくとも２つの副外観面を備えており、前記コーナー用部材が互いに２０°〜１６０°の角度に配向されている２つの当接面を備えており、該コーナー用部材は２つの外観面を備えており、第一の外観面が該コーナー用部材の下方端縁から上方端縁まで連続して延びており、第二の外観面が支持面を形成している少なくとも１つの段部と少なくとも１つの副外観面とを備えており、互いに隣接している壁用部材の当接面は合同であり、互いに隣接している壁用部材同士はそれらの当接面を介して相互に対向しており且つ少なくとも１つの連結手段によって各々が特定の他の壁用部材に連結されている。このタイプのパーティションシステムは、大容積のオフィス内に独立した仕事場を連続的に且つ複数の側面を遮ることなく区切り、それと同時に毎日使用できる支持面及び腰を下ろす面を提供するのに適している。特に、本発明によるパーティションシステムによれば、仕事場を上から見てＬ字状及びＵ字状に区切ることができる。本発明の核心は、容積の大きいオフィスを個々に且つ建築上の大きな出費無しで小部屋に分割することができるパーティションシステムにあり、該パーティションシステムにおいては、個々の壁用部材の簡単な幾何学的構造によって計画が容易化される。
【０００６】
本発明は更に、パーティションシステムに連結用部材として設計されている少なくとも１つの壁用部材を補足できるようにする設備を提供し、該パーティションシステムにおいては、連結用部材は３つの直角な当接面を備えている。このタイプのＴ字状構成部品又はこのタイプの連結点によって、特に互いに隣接している作業場のパーティション同士の連結を可能にする連結がパーティションの輪郭において実現できる。
【０００７】
本発明はまた、パーティションシステムに交差用部材として設計されている少なくとも１つの壁用部材を補足できるようにする設備を提供し、該交差用部材は、特に互いに平行な対状に整合される４つの直角な当接面を備えている。このタイプの交差用部材によれば、更に独立性が高いパーティションガイドが実現され、特にパーティション同士が互いに平行に延びるのを避けることができ、従って、該パーティションシステムが占める空間を最小にすることができる。
【０００８】
該パーティションシステムを更に個々に区別するために、パーティションシステムに方向転換用部材として設計されている少なくとも１つの壁用部材を補足するための構造が提供され、前記方向転換用部材は２つの直角な当接面を備えており、該方向転換用部材は２つの外観面を備えており、該外観面の各々が支持面を備えている少なくとも１つの段部を備えており、前記２つの当接面は、垂直のミラー軸線に関して相互に軸線対称形態又は鏡像対称形態で配向されている。このタイプの方向転換用部材を連結することによって、第一の向きにある段状部材から第二の向きにある段状部材へと方向を変えることができ、この場合に、第二の向きにある段状部材は、第一の向きにある段状部材に対して垂直軸線を中心として１８０°回転される。
【０００９】
本発明によるパーティションシステムは、少なくとも１つの壁用部材を備えており、該壁用部材は、少なくとも２つの当接面と少なくとも２つの外観面とを備えており、該外観面のうちの少なくとも１つは、３つの段部を介して互いにつながっている４つの副外観面を備えているずらされた外観面として設計されている。このタイプのパーティションシステムは、大容積のオフィスを、連続的に且つ複数の側面を遮ることなく、これらの段部によって毎日使用できる面を提供する個々の仕事場に区切るのに適している。特に、本発明によるパーティションシステムによると、仕事場を、上から見てＬ字状か或いはＵ字状に区切ることができる。本発明の核心は、大容積のオフィスを個々に且つ建築上の大きな出費無しで小部屋に分割することができるパーティションシステムにあり、該パーティションシステムによると、個々の壁用部材の簡単な幾何学構造によって計画が容易化される。
【００１０】
本発明によると、外観面のうちの少なくとも１つが壁用部材の下方端縁から上方端縁まで連続している外形を有する構造が提供され、更に、段部が特に各々支持面を形成している構造が提供され、最終的には、特にパーティションシステムに特に少なくとも１つの連結手段が備えられていて互いに隣接している壁用部材同士が特に該少なくとも１つの連結手段によって相互に連結される構造が提供される。連続しており且つ段部が無い外観面は、仕事場を通路から省スペース形態で仕切るのに特に適している。支持面を備えている各段部を形成することによって、これらの段部が有する段丘形状の段階的な配列によって、広範囲の要件に対して有用な多数の有用な面がもたらされる。互いに連結されている隣接している壁用部材同士によって、これらの壁用部材の配置を最少の費用で安定したものとすることができる。
【００１１】
更に、本発明は、約４５ｃｍ〜５５ｃｍのベンチ高さと、約６５ｃｍ〜７２ｃｍの作業面高さと、約８４ｃｍ〜９０ｃｍの“キッチン”カウンタ高さとに、比較的低い３つの段部を形成し且つ約１０４ｃｍ〜１１０ｃｍのカウンタ高さにおいて最も上方の副外観面が頂面と併合される第四の段部を形成する構造を提供している。ここでは、壁用部材を、特に幅が約３４ｃｍ〜３８ｃｍの第一の最も下方部分と、幅が約２３ｃｍ〜２８ｃｍの第二の部分と、幅が約１３ｃｍ〜１９ｃｍの第三の部分と、幅が約３ｃｍ〜８ｃｍの第四の最も上方の部分（個々の幅は各々壁用部材の当接平面又は当接面のうちの一つにおいて水平方向に測定したものである）とに寸法を合わせて作った構造が提供されている。このような寸法は、安定していると同時に省スペースの壁用部材をもたらす。なぜならば、該壁用部材の基部面は、個々の段部によって、ユーザーが利用でき且つその構造を平らな面に関連して使用できる改良された選択肢を提供するからである。
【００１２】
本発明に従って、該パーティションシステムは、付加的に少なくとも１つの什器用部材を備えており、該什器用部材は、特定の場合にはシートとして且つ／又は特定の場合にはテーブルとして且つ／又は特定の場合には作業台として且つ／又は特定の場合にはカウンタとして設計され、該什器用部材は壁用部材に特に嵌込み形態で連結される。壁用部材と該壁用部材に合わせられた什器用部材とを組み合わせることによって、オフィスの部屋内に必要とされる什器品の多くを該パーティションシステムに一体化することができる。例えばテーブルトップの場合には壁用部材は少なくとも一方の側面がテーブル支持部材として使用されることにより、建築スペースを節約することができる。更に、該パーティションシステムは、オフィスの什器品を直に連結させることによって更に安定化され、該パーティションシステムの什器用部材はコスト効率の高い形態で作ることができる。なぜならば、該什器用部材の各部品がこれらの部品を既に備えている壁用部材によって作られるからである。
【００１３】
本発明に従って壁用部材上に頂面が設けられ、該頂面は、壁用部材の当接面同士をつなげ、特に壁用部材の底面と平行とされており、段付き部材においては、特に該段付き部材の第一の外観面と該段付き部材の上方の副外観面とは頂面によってつながっており、コーナー用部材においては、特に該コーナー用部材の第一の外観面と該コーナー用部材の上方の副外観面とを連結させる構造が頂面によって提供されている。該頂面によって、段付き部材又はコーナー用部材は、例えばファイルのための収納用付加機能を有し、該収納用付加機能はパーティションの両サイドからアクセス可能である。
【００１４】
本発明は更に、各壁用部材の幾何学的形状を中実材料からなる芯材によって形成できるようにする構造を提供する。このように、個々の壁用部材を芯材の一部分であるように形成することによって、該壁用部材は、重労働で且つ時間がかかる方法で個々の構成部品によって組み立てる必要がない。更に、壁用部材のこのような構造は、コーティングを付加することにより壁用部材のレトロ調の個々の形状が可能になる。仕上げられたこのようなタイプの壁用部材は、次いで、幾何学的形状を規定している芯材及び外装材からなり、これによって、該壁用部材を個々の要件に対してその表面及び／又は外観の編成に適合させることができる。
【００１５】
本発明に従って、芯材を作る中実材料として、特定の場合にはプラスチックを、特定の場合には発泡材を、特定の場合には硬質発泡材を使用する構造が提供され、この場合に、該中実材料は、特に約２０ｋｇ／ｍ３〜７０ｋｇ／ｍ３特に４０ｋｇ／ｍ３の容積対比重比を有する発泡性ポリスチレン（ＥＰＳ）によって作られ、又は特に約２０ｋｇ／ｍ３〜７０ｋｇ／ｍ３特に４０ｋｇ／ｍ３の容積対重量比を有する発泡性ポリプロピレン（ＥＰＰ）によって作られる。これによって、例えば木製板材によって作られる壁用部材と比較すると個々の壁用部材の重量が小さくなり、このことは特にビル内での搬送を簡易にする。更に、このタイプの材料を使用することによって、壁用部材は熱絶縁性及び吸音性を有し、従って、仕切られた仕事場を通気及び音から効率良く遮ることができる。発泡性材料の場合には、壁用部材は、容積対重量比を変えることによって、例えば安定性及び耐荷重性のような種々の要件に簡単に適合させることができる。
【００１６】
更に、本発明は、壁用部材のうちの１つの副外観面間に配置されている段部のうちの少なくとも１つに溝が設けられるようにする構造を提供している。該溝は、段部の支持面に関して垂直方向上方に開口しており、更に、特に当接面のうちの少なくとも１つに対して横方向に開口している。このことにより、書類又は電子機器例えば移動式電話を仕事場に落下しないように確実に載置して固定することが可能となる。互いに隣接している壁用部材が横方向に開口した溝を備えている場合には、該壁用部材もまた相応して壁用部材から壁用部材への遷移領域において使用することもできる。更に、これらの溝は、平らなスクリーン及び／又はパーティション及び／又はミラーの持ち上がった部分を安定して挿入し且つ／又は照明システム又はホルダーをクリップで留めるのに適している。
【００１７】
本発明は、壁用部材に、特に該壁用部材の底面のずれた部分によって形成される第一のケーブルダクトを配備する構造を提供し、この場合に該ずれた部分もまた壁用部材の当接面に対して開口している。更に、本発明は、壁用部材に特に穴によって形成される少なくとも１つの第二のケーブルダクトを配備する構造を提供し、該第二のケーブルダクトは、壁用部材の頂面若しくは壁用部材の支持面のうちの１つ若しくは壁用部材の溝のうちの１つから、第一のケーブルダクト内へ又は底面まで延びている。第一のケーブルダクトによって、このようにして形成された壁用部材は該壁用部材がどこに使用されても供給ラインを簡単に敷設することができる。第二のケーブルダクトによって、例えば電流を目論んだ方法で個々の仕事場へ供給することができる。
【００１８】
本発明は更に、壁用部材がガイドされる床レールシステムをパーティションシステムに付加できる構造を提供し、該床レールシステムは、床上に取り付けられた複数のガイド部材を備えており、該ガイド部材は特に少なくとも１つの垂直部を備えており、該垂直部は部屋内で直角であり且つ特に壁用部材に当接するか又は特に壁用部材内へと食い込んでいる。これにより、特にガイド部材をこれらが取り付けられる部屋の床に接着し且つ／又はねじ止めすることによって、該壁用部材の位置決めを正確に予め決め且つ永久に保持することができる。次いで、個々の壁用部材を、更なるステップを経ることなく該壁用部材が嵌め込まれる床レールシステムに簡単に挿入することができる。
【００１９】
本発明に従って、連結手段をクランプとして設計できる構造が提供され、この場合に、クランプは互いに平行に延びている２本のピンを備えており、壁用部材は、特に底面及び／又は特に溝内に少なくとも１つの穴を備えており、該少なくとも１つの穴は壁用部材内を垂直方向に延びており且つ前記クランプの一端内に挿入することができ、互いに隣接している壁用部材の穴と前記クランプとは、クランプが互いに隣接している壁用部材を連結させてそれらの当接面同士が接した状態で互いに組み合わせることができる。これによって、簡単な手段を使用して互いに隣接している壁用部材同士を差し込みシステムによって連結させることができる。
【００２０】
更に、本発明は、クランプに支持部と調整可能な足部とを備えたクランプを提供している。この場合に、前記２本のピンは前記支持部に取り付けられ且つ該ピンは第一の方向を向いており、前記の調整可能な足部は、前記支持部上のピン間の中心に配置され且つ前記第一の方向と反対の第二の方向を向いている。このタイプのクランプは什器品用の足部として使用でき、該什器品用の足部は、床内で互いに当接している当接面の領域において２つの互いに隣接している壁用部材を支持する。特に、調整可能な足部を高さが調節できる設計とするための構造が提供される。これによって、壁用部材が立てられる床の凹凸に対して補うことができる。
【００２１】
最後に、本発明は、各壁用部材の段部又は各壁用部材の最も下方の段部が少なくとも４０ｃｍ特に６０センチの高さに配列され且つ各壁用部材の全体の高さが特に少なくとも１００ｃｍであるようにするための設備を提供する。これによって、最も下方の段部は、シート仕様として４０ｃｍ〜約５０ｃｍの高さで使用することができる。段部が比較的高い位置にある場合には、本発明は、前記の段部をテーブルトップのための支持部材として提供する。
【００２２】
以下、本発明の更なる詳細を、概略的に示されている例示的な実施形態に関して図面において説明する。
【図面の簡単な説明】
【００２３】
図面において、
【００２４】
【図１】本発明による第一のパーティションシステムの壁用部材を示している図である。
【図２】本発明による第一のパーティションシステムの壁用部材を示している図である。
【図３】本発明による第一のパーティションシステムの壁用部材を示している図である。
【図４】本発明による第一のパーティションシステムの壁用部材を示している図である。
【図５】本発明による第一のパーティションシステムの壁用部材を示している図である。
【００２５】
【図６】第一のパーティションシステムの壁用部材によって作られているパーティションを示している図である。
【００２６】
【図７】本発明による第二のパーティションシステムの壁用部材を示している図である。
【図８】本発明による第二のパーティションシステムの壁用部材を示している図である。
【図９】本発明による第二のパーティションシステムの壁用部材を示している図である。
【図１０】本発明による第二のパーティションシステムの壁用部材を示している図である。
【図１１】本発明による第二のパーティションシステムの壁用部材を示している図である。
【００２７】
【図１２ａ】第二のパーティションシステムの壁用部材によって作られているＬ字状の外形の第一のパーティションを示している図である。
【００２８】
【図１２ｂ】第二のパーティションシステムの壁用部材によって作られているスネーク状の外形の第二のパーティションを示している図である。
【００２９】
【図１３】ケーブル用ダクトを備えている壁用部材の概略図である。
【００３０】
【図１４】ガイド部材の斜視図である。
【００３１】
【図１５】図１４に示されているガイド部材内に挿入されている壁用部材の概略図である。
【００３２】
【図１６】その上に第一のケーブル用ダクトを備えている壁用部材が配置されている更に別のガイド部材を示している図である。
【００３３】
【図１７】図１６に示されているガイド部材と、その上に配置されている第一のケーブル用ダクトを備えていない壁用部材とを示している図である。
【００３４】
【図１８】連結部材によって相互に連結されている２つの壁部材の概略図である。
【００３５】
【図１９】交差用部材の斜視図である。
【図２０】交差用部材の頂面図である。
【００３６】
【図２１】交差用部材の斜視図である。
【図２２】交差用部材の頂面図である。
【発明を実施するための形態】
【００３７】
図１〜５は、本発明による第一のパーティションシステム２の壁用部材１を概略的な斜視図で示しており、図６は、第一のパーティションシステム２の壁用部材１によって作られているパーティション３を概略的な分解斜視図で示している。
【００３８】
第一のパーティションシステム２の壁用部材１（図１に示されている）は、段付き部材１００として設計されている。段付き部材１００は、互いにほぼ平行に配向されている２つの当接面１０１及び１０２を備えている。更に、段付き部材１００は、相互にほぼ平行に配向されている２つの外観面１０３及び１０４を備えている。この場合には、第一の外観面１０３は、段付き部材１００の下方端縁１０５から上方端縁１０６まで連続して延びている。第二の外観面１０４は、相対的にずれた外観面１０４として設計されており、２つの副外観面１０７及び１０８からなる。第二の外観面１０４は、支持面１１０を形成している段部１０９を介して該２つの副外観面１０７，１０８を統合している。段付き部材１００の第一の外観面１０３と段付き部材１００の上方の副外観面１０８とは、頂面１１１によってつながっている。頂面１１１は、段付き部材１００の底面１１２と平行に延びている。段付き部材１００は、長さＬ１００と、全体の高さＧＨ１００と、基部の高さＳＨ１００と、基部の奥行きＳＴ１００と、頭部の奥行きＫＴ１００とを有している。代替実施形態として、図１には、段部１０９の支持面１１０において凹んだ溝１１３が示されており、溝１１３は垂直方向Ｖで上方に向かって開口していて桶状部を形成している。更に別の変形実施形態（図示せず）においては、該溝は、段付き部材１００の全長Ｌ１００に亘って延びており且つ当接面１０１及び１０２に向かっても開口している。
【００３９】
第一のパーティションシステム２の壁用部材１（図２に示されている）は、コーナー用部材２００として設計されている。コーナー用部材２００は、室内で直角に配向される２つの当接面２０１及び２０２を備えている。該当接面同士は相対的に９０°の角度αをなしている。コーナー用部材２００は更に、２つの外観面２０３及び２０４を備えている。この場合には、第一の外観面２０３は、角度が付けられるか又は曲げられた外観面として設計されており、当接面２０１と２０２の間をコーナー用部材２００のＬ字状下方端縁２０５からＬ字状上方端縁２０６まで延びている。第二の外観面２０４も同様に、角度が付けられるか又は曲げられた外観面として設計されており且つ支持面２０８を備えている段部２０７と上方の副外観面２０９とを備えている。コーナー用部材２００の第一の外観面２０３とコーナー用部材２００の上方の副外観面２０９とは、頂面２１０によって相互につながっている。頂面２１０は、コーナー用部材２００の底面２１１と平行に延びている。コーナー用部材２００は、全体の高さＧＨ２００と、基部の高さＳＨ２００と、基部の奥行きＳＴ２００と、頭部の奥行きＫＴ２００とを有している。図２に示されているコーナー用部材の場合には、当接面２０１及び２０２は、段部２０７の下方の端縁２１２において互いに連接されている。
【００４０】
図３には、連結用部材３００として設計されている壁用部材１が示されている。連結用部材３００は３つの当接面３０１，３０２，３０３を備えており、これら３つの当接面は室内でほぼ直角をなしており、支持面３０６，３０７を備えている段部３０４，３０５が互いに隣接している当接面３０１と３０２との間及び３０２と３０３との間に形成されており、これらの支持面は互に直に隣接している。３つの当接面３０１，３０２，３０３のうち２つの当接面３０１と３０３とは、合同な面として設計されている。第三の当接面３０２は、図１に示されている段付き部材１００を２つの異なる位置で合わせることを可能にしており、段付き部材１００は、ある位置から別の位置へと、それぞれの状態において、その垂直線ＨＡ１００を中心として１８０°回転される。連結用部材３００は３つの外観面３０８，３０９，３１０を備えており、外観面３０９と３１０とは、各々が段部３０４及び３０５の上方に横たわっている副外観面３１１及び３１２として設計されている。外観面３０８，３０９，３１０は、頂面３１３を介して相互につながっている。底面３１４は、頂面３１３と平行になっている。
【００４１】
図４には、交差用部材４００として設計されている壁用部材１が示されている。交差用部材４００は、４つの互いに直角な当接面４０１，４０２，４０３，４０４を備えている。前記の当接面４０１〜４０４は、互いに平行な面の対となっている。すなわち、当接面４０１と４０３とが互いに平行であり、当接面４０２と４０４とが互いに平行である。２つの直に隣接している当接面４０１と４０４及び４０２と４０３は、各々、段部４０５と４０６とを形成している。交差用部材４００は４つの外観面４０７，４０８，４０９，４１０を備えており、外観面４０７と４０９とは、各々、段部４１２，４１３の上方に横たわっている副外観面４１０及び４１１として設計されている。外観面４０７，４０８，４０９，４１０は、頂面４１４を介して相互につながっている。底面４１５は頂面４１４と平行になっている。
【００４２】
図５には、方向転換用部材５００として設計されている壁用部材１が示されている。方向転換用部材５００は２つの直角な当接面５０１と５０２とを備えている。更に、方向転換用部材５００は２つの外観面５０３と５０４とを備えており、これらの外観面は各々の支持面５０７と５０８とを備えている各々の段部５０５と５０６を備えている。２つの当接面５０１と５０２とは、互いに平行とされており且つ垂直軸線ＳＡ５００に対して相互に軸線対称な関係になっている。方向転換用部材５００は２つの外観面５０９，５１０を備えている。外観面５０９及び５１０は頂面５１１を介して相互につながっている。底面５１２は頂面５１１と平行になっている。
【００４３】
図６にはパーティションシステム２が分解斜視図で示されている。パーティションシステム２は、壁用部材１としての３つの段付き部材１００と、コーナー用部材２００と、連結用部材３００と、交差用部材４００と、方向転換用部材５００とからなっている。パーティションシステム２の特徴は、壁用部材１の全てが合同な当接面１０１，１０２，２０１，２０２，３０１，３０３，４０１，４０２，４０３，４０４，５０１，５０２によって相互に連結されている点である。これによって、いずれの場合にも２つの連結手段４、５（概略的且つ例示的にのみ示されている）によって回転しないように固定され且つ移動しないように固定されるやり方で相互に連結されている壁用部材が互いに押し付けられると、分岐部６，７，８からなる連続するパーティション３が作られ、部屋９を小部屋Ｉ、II及びIIIに分割することが可能になる。
【００４４】
図７〜１１及び１９〜２２には、本発明による第二のパーティションシステム１０の壁用部材１が概略的な斜視図で示されており、図１２ａ及び１２ｂには、第二のパーティションシステム１０の壁用部材１によって作られている第一のパーティション１１と第二のパーティション１２とが概略的な斜視図で示されている。
【００４５】
図７に示されている第二のパーティションシステム１０の壁用部材１は段付き部材１５０として設計されている。段付き部材１５０は、互いにほぼ平行に配向されている２つの当接面１５１及び１５２を備えている。更に、段付き部材１５０は、相互にほぼ平行に配向されている２つの外観面１５３及び１５４を備えている。この場合には、第一の外観面１５３は、段付き部材１５０の下方端縁１５５から上方端縁１５６まで連続して延びている。第二の外観面１５４は、相対的にずらされた外観面１５４として設計されており、４つの副外観面１５７，１５８，１５９，１６０からなる。これらの副外観面は、支持面１６４，１６５，１６６を形成している段部１６１，１６２，１６３を介して互いにつながっている。段付き部材１５０の第一の外観面１５３と段付き部材１５０の上方の副外観面１６０とは、頂面１６７によってつながっている。該頂面は段付き部材１５０の底面１６８と平行に延びている。段付き部材１５０は、長さがＬ１５０であり、全体の高さがＧＨ１５０であり、基部の高さがＳＨ１５０であり、基部の奥行きがＳＴ１５０であり、頭部の奥行きがＫＴ１５０である。支持面１６４，１６５，１６６は各々の溝１６９，１７０，１７１を備えており、これらの溝は、垂直方向Ｖで上方に向かって開口しており且つ段付き部材１５０の全長Ｌ１５０に亘って延びており且つ当接面１５１及び１５２に対して開口している。
【００４６】
図８及び９に示されている第二のパーティションシステム１０の壁用部材１はコーナー用部材２５０として設計されている。図８に示されているコーナー用部材２５０は内側コーナー用部材２５１として設計されており、図９に示されているコーナー用部材２５０は外側コーナー用部材２５２として設計されている。
【００４７】
内側コーナー用部材２５１と外側コーナー用部材２５２とは、互いに直角に向けられている当接面２５３と２５４とを備えている。これらの当接面は、各々、相互に９０°の角度αをなしている。内側コーナー用部材２５１と外側コーナー用部材２５２とは更に、２つの外観面２５５と２５６とを備えている。第一の外観面２５５は、ここでは凸状の外観面２５５として設計されており、該凸状外観面は、内側コーナー用部材２５１又は外側コーナー用部材２５２の弧状の下方端縁２５７から弧状の上方端縁２５８まで延びている。両方のコーナー用部材２５０の変形例においては、第二の外観面２５６は、４つの副外観面２５９，２６０，２６１，２６２と支持面２６６，２６７，２６８を備えた３つの段部２６３，２６４，２６５とを備えている。特定のコーナー用部材２５１又は２５２の第一の外観面２５５と特定のコーナー用部材２５１又は２５２の上方副外観面２６２とは、頂面２６９によって相互につながっている。頂面２６９は、特定のコーナー用部材２５１及び２５２の底面２７０と平行に延びている。コーナー用部材２５１及び２５２は、各々、全体の高さがＧＨ２５０であり、基部の高さＳＨ２５０と、基部の奥行きがＳＴ２５０であり、頭部の奥行きがＫＴ２５０である。支持面２６３，２６４，２６５は、各々、垂直方向Ｖで上方に向かって開口しており且つ当接面２５３，２５４に向かって開口している弧状の溝２７１，２７２，２７３を備えている。
【００４８】
図１０には、方向転換用部材５５０として設計されている壁用部材１が示されている。方向転換用部材５５０は、２つの直角な当接面５５１と５５２とを備えている。方向転換用部材５５０は更に２つの外観面５５３，５５４を備えており、これらの２つの外観面は、各々、３つの段部５５５，５５６，５５７又は５５８，５５９，５６０を備えており、これら３つの段部は、支持面５６１，５６２，５６３又は５６４，５６５，５６６を備えている。外観面５５３と５５４とは、頂面５６７を介して互いにつながっており、頂面５６７は底面５６８に対して平行に延びている。２つの当接面５５１及び５５２は、相互に平行になっており且つ垂直ミラー軸線ＳＡ５５０に関して相互に軸線対称な関係で配向されている。方向転換用部材５５０は、ミラー軸線ＳＡ５５０に関して全体的な鏡像対称形態に作られている。方向転換用部材５５０は、長さがＬ５５０であり、全体の高さがＧＨ５５０であり、基部の高さがＳＨ５５０であり、基部の奥行きがＳＴ５５０であり、頭部の奥行きがＫＴ５５０である。
【００４９】
第二のパーティションシステム１０について述べたものにおいて、第一の段部の高さにおいて測定した基部の高さは、第三の段部の高さで測定した頭部奥行きの２倍よりも大きく、頭部の奥行きは特に基部の奥行きの少なくとも４分の１である。
【００５０】
図１１には、図１０に示した方向転換用部材の変形実施形態が示されている。この図には方向転換用部材５８０が示されており、該方向転換用部材は、ミラー軸線ＳＡ５５０を通る垂直長手中心面ＶＬ５８０上での、図１０に示した方向転換用部材５５０の鏡像反射によってもたらされる。この変形実施形態においては、溝５６９が底面５６８に形成されており、溝５６９は、方向転換用部材５８０の長手方向ｙに延びており且つ方向転換用部材５８０の当接面５５１及び５５２及び部室９の床１３に対して開口している。本発明によると、レール１４として設計され、その大きさが溝５６９に合わせられ、部屋９の床１３に連結、特にねじ止め又は接着されて該パーティションシステムの壁用部材が所定の位置に保持される構造が提供される。特にここでは、レール１４がケーブルダクト及び／又は供給ダクトとして設計されるようにする構造も提供されている。更に、レール１４を連結手段として設計できるようにし且つこの目的のために隣接する壁用部材の穴に挿入して該壁用部材を相対的に固定し又は該壁用部材を安定させることができるピンを備える構造が提供されている。
【００５１】
図１０に示されている段部５５０〜５６０の支持面５６１〜５６６は、各々、溝５７０〜５７５を備えている。溝５７０〜５７５は、各々、当接面５５１又は５５２に対して開口している。
【００５２】
図１９〜２２は、図示されているタイプの部材の各々における、第一の段部の高さをａ、第二の段部の高さをｂ、第三の段部の高さをｃ、第四の段部の高さ（これは各々の場合に頂面によって形成されている）をｄによって示している。第一の段部の高さは、ここでは、底面と第一の段部の支持面との間の距離として規定されている。第二の段部の高さは、ここでは、底面と第二の段部の支持面との間の距離として規定されている。第三の段部の高さは、ここでは、底面と第三の段部の支持面との間の距離として規定されている。第四の段部の高さは、ここでは、底面と第四の段部の支持面との間の距離として規定されている。全てのタイプの部材において、下方の第一の段部の当接面、第一の段部と第二の段部との間の当接面、第二の段部と第三の段部との間の当接面、第三の段部の上方の当接面の各幅は、それぞれに対応してｅ，ｆ，ｇ，ｈによって示されている。図７〜１１に示されている第二のパーティションシステムの各壁用部材は、対応した大きさとされており、前記の図面において示されている各寸法に対して、ＳＨ１５０＝ＳＨ２５０＝ＳＨ５５０＝ａ、ＧＨ１５０＝ＧＨ２５０＝ＧＨ５５０＝ｄ、ＳＴ１５０＝ＳＴ２５０＝ＳＴ５５０=ｅ、及びＫＴ１５０＝ＫＴ２５０＝ＫＴ５５０＝ｇが適用される。
【００５３】
図１２ａには、パーティションシステム１０によって作られたパーティション３が分解斜視図で示されており、パーティション３は、壁用部材１として、２つの段付き部材１５０、２つのコーナー用部材２５０、及び２つの方向転換用部材５５０、５８０からなる。壁用部材１の全てが合同な当接面１５１，１５２，２５３，２５４，５５１，５５２によって相互に連結されることがパーティションシステム１０の特徴である。これによって、回転しないように且つ移動しないように固定された形態で相互に連結された壁用部材１が相互に押し付けられると、連続したパーティション３が形成される。方向転換用部材５５０，５８０によって、段部１６１，１６２，２６３，２６４，２６５，５５５〜５６０は、パーティションのＡ側からパーティションのＢ側へと方向転換させることができる。
【００５４】
図１２ｂには、パーティションシステム１０によって作られた更に別のパーティション３が斜視図で示されている。該図面においては、部屋９がスネーク状に延びているパーティション３によって３つの小部屋Ｉ、II、IIIに分割される方法が示されている。該パーティションシステムはまた、什器用部材６００，６０１をも備えており、これらの什器用部材は、ここでは、例としてベンチ６０３として設計されている透明なシート用部材６０２、及びデスク６０５として設計されている透明なテーブル用部材６０４の形態で概略的に示されている。
【００５５】
シート用部材６０２は、シート用パネル６０６と、床３６に届いている第一の側方部材６０７と、第一の段付き部材１５０，１５０ａの溝１６９に入り込んでいる第二の側方部材６０８とを備えている。シート用部材６０２は、シート用パネル６０６によって段付き部材１５０，１５０ａの支持面１６４上に載置されている。シート用パネル６０６は、約４５ｃｍ〜５５ｃｍの高さにおいて床と平行に延びている。
【００５６】
テーブル用部材６０４は、テーブルトップ６０９と、床３６上に届いている第一の側方部材６１０と、第二の段付き部材１５０，１５０ｂの溝１７０内に入り込んでいる第二の側方部材６１１とを備えている。テーブル部材６０４は、テーブルトップ６０９によって段付き部材１５０，１５０ｂの支持面１６５上に載置されている。テーブルトップ６０９は、約６５ｃｍ〜７２ｃｍの高さのところで床３６に対して平行に延びている。
【００５７】
第一のパーティションシステム２においては、ＧＨ１００＝ＧＨ２００、ＳＨ１００＝ＳＨ２００、ＳＴ１００＝ＳＴ２００、及びＫＴ１００＝ＫＴ２００であり、特にＧＨ１００＞１００ｃｍであり、更に特定すると５０ｃｍ＞ＳＴ１００＞２０ｃｍであり、更に特定するとＳＨ１００＞４０ｃｍ又はＳＨ１００＞６０ｃｍである。第二のパーティションシステム１０においては、ＧＨ１５０＝ＧＨ２５０＝ＧＨ５５０、ＳＨ１５０＝ＳＨ２５０＝ＳＨ５５０、ＳＴ１５０＝ＳＴ２５０＝ＳＴ５５０、ＫＴ１５０＝ＫＴ２５０＝ＫＴ５５０であり、特にＧＨ１５０＞１００ｃｍであり、更に特定すると５０ｃｍ＞ＳＴ１５０＞２０ｃｍであり、更に特定するとＳＨ１５０＞４０ｃｍ又はＳＨ１５０＞６０ｃｍである。
【００５８】
第一のパーティションシステム２及び第二のパーティションシステム１０の壁用部材１は芯材Ｋを備えており、この芯材Ｋは特定の壁用部材１の幾何学的形状を決定する（図１及び７を参照）。本発明に従って、該芯材Ｋは、層又は外板Ｓによってコーティングされるか覆われている。
【００５９】
図１３には、図７に示されている壁用部材１が当接面１５１の側面図で概略的に示されており、図１３に示されている構造においては、壁用部材１は底面１６８に対して開口しており且つ当接面１５１及び１５２に対して開口している第一のケーブルダクト２０を備えている。更に、図１３には、３つの第二のケーブルダクト２１すなわち２１ａ，２１ｂ，２１ｃが示されており、第二のケーブルダクト２１ａ〜２１ｃのうちの１以上は、要求に応じて壁用部材１上に形成されている。ケーブルダクト２１ａは溝１７０から第一のケーブルダクト２０へと延びている。ケーブルダクト２１ｂは段部１６３から第一のケーブルダクト２０へと延びている。ケーブルダクト２１ｃは頂面１６７から第一のケーブルダクト２０へと延びている。ケーブルダクト２１ａによって、例えば、溝１７０内に配置されているランプ２２に第一のケーブルダクト２０から電流を供給することができる。
【００６０】
図１４には、床レールシステム３１のガイド部材３０が斜視図で示されている。ガイド部材３０は、基部プレート３２と、該基部プレート３２上に形成されている２つの垂直部３３及び３４とを備えていてＵ字状の外形３５を形成している。ガイド部材３０は床３６上に取り付けられ、該取り付けは例えば接着接合又はねじ止めによってなされる。ガイド部材が取り付けられると垂直部３３及び３４は床３６から垂直方向上方へ突出する。
【００６１】
図１５には、図１４に示されたガイド部材３０内に挿入されている壁用部材１が概略的に示されている。ガイド部材３０は、壁用部材１のためのガイドレールを形成しており、この場合に、壁用部材１は、垂直部３３及び３４によって横方向が保持されており、垂直部３３及び３４は外観面１５３及び１５４に当接している。
【００６２】
図１６には、更に別のガイド部材３７が示されており、このガイド部材３７は、図１３に示されている壁用部材に相当するように形成され且つ第一のケーブルダクト２０が形成されている壁用部材１がその周囲を覆うように係合される大きさとされている。第一のケーブルダクト２０に適合されているガイド部材３７は、第一のケーブルダクト用に準備されたケーブルを既に前もってその中に這わせることができるという利点を付与する。
【００６３】
最後に、図１７には、図１６に示されているガイド部材３７の代替的な使用方法が示されている。このガイド部材は壁用部材が押し付けられる爪としても使用でき、ガイド部材３７の垂直部３８，３９は、壁用部材が押し付けられたときに壁内に食い込む。
【００６４】
原則的には、図１４〜１７において、パーティションシステムの一部である床レールシステムは、壁用部材毎に少なくとも１つのガイド部材が使用されることが提案され、特に連続させて配列される床レール部材も提供されることは、注視されるべき点である。この場合にももちろん、床レール部材は、種々の壁用部材の特別な幾何学的構造に適合さられ、特に弧状の外形を有するか又は特に頂面図で見てＴ字形状若しくは十字形状のガイド部材として設計される。
【００６５】
図１８には、２つの隣接している壁用部材１すなわち１ａ，１ｂの部分破断概略図が示されており、該２つの隣接している壁用部材はクランプ４２，４３として設計されている２つの連結手段４０，４１によって連結されている。上方のクランプ４２は、２つの壁用部材１ａ及び１ｂの溝１６９すなわち１６９ａ，１６９ｂ内に配置されている。上方のクランプ４２は、支持部４４と２本のピン４５，４６とを備えており、２つのピン４５及び４６は、互いに平行に延びており且つ前記の支持部材に連結されている。ピン４５及び４６は、その自由端部４７，４８が壁用部材１ａ，１ｂの溝１６９ａ，１６９ｂに形成されている穴４９ａ，４９ｂに差し込まれている。これによって、壁用部材１ａ，１ｂは、前記の壁用部材が互いに押し付けられている図示された位置に保持される。クランプ４２は、クランプ４２に適合されている穴が２つの壁用部材１ａ，１ｂ上に存在しているどこにおいても、２つの隣接している壁用部材同士を連結させるために使用することができる。クランプ４２とは対照的に、クランプ４３は、支持部５０及び２本のピン５１，５２に加えて調整可能な足部５３をも備えている。この調整可能な足部５３は、２つの壁用部材１ａ，１ｂを理想的に支持することができるように２つのピン５１と５２との間の中心に配置されている。調整可能な足部５３の長さＬ５３は、例えばねじ（図示せず）によって変えることができ、従って、支持部材５０と床５６との間の距離を変えることができる。
【００６６】
図１９には、第二のパーティションシステム１０の更に別の壁用部材１が示されており、該壁用部材は交差用部材４５０として設計されている。交差用部材４５０は、４つの当接面４５１〜４５４と、４つの外観面４５５〜４５８とを備えている。外観面４５６及び４５８は、各々、ここでは４つの副外観面４５９〜４６２、４６３〜４６６によって形成されており、これら４つの副外観面は、各場合に、３つの段部４６７，４６８，４６９及び４７０，４７１，４７２によって相互につながっている。外観面４５５，４５７と上方の副外観面４６２，４６６とは、底面４７４と平行に延びている頂面４７３によってつながっている。頂面４７３は、上方の副外観面４６２，４６６に対する各々の第四の段部４７５，４７６を形成している。
【００６７】
図２０に示されている交差用部材４５０の頂面図においては、外観面４５５〜４５８は全て角度が付けられた設計であることがわかる。当接面４５１の領域においては、交差用部材４５０は、第一の段部の下方の幅がｅであり、第一の段部と第二の段部との間の幅がｆであり、第二の段部と第三の段部との間の幅がｇであり、第三の段部の幅がｈである。第一乃至第四の段部４６７，４６８，４６９，４７５と４７０，４７１，４７２，４７６の高さａ，ｂ，ｃ，ｄが図１９に示されている。
【００６８】
図２１及び２２には第二のパーティションシステム１０の更に別の壁用部材１が示されており、該壁用部材は更に別の交差用部材４８０として設計されている。交差用部材４８０に関しては図１９及び２０についての説明が参照できる。図１９及び２０に示されている交差用部材とは異なり、外観面４５５〜４５８は、ここでは角度付きの設計ではなく弧状に丸味を付けられた設計である。当接面４５１〜４５４は、平面状で且つ図１９及び２０に示されている交差用部材の当接面と同じ形態で形成されている。従って、交差用部材４８０は幅及び高さに関してもまた同じ寸法である。
【００６９】
本発明は図示され又は説明された例示的な実施形態に限定されない。そうではなく、本発明は特許請求の範囲内に含まれる発明の展開態様を包含している。本発明は特に、互いに隣接する壁用部材がその当接面によって十分に接合するための構造をも提供している。このことにより、パーティションの安定性が実質的に高められる。なぜならば、互いに隣接する壁用部材が、相互に当接して支持され且つ当接面間の静止摩擦によって安定化されるからである。
【符号の説明】
【００７０】
１  壁用部材、                          １ａ，１ｂ  壁用部材、
２  パーティションシステム、            ３  パーティション、
４，５  連結手段、                      ６，７，８  分岐部、
９  部屋、                              １０  パーティションシステム、
１１  第一のパーティション、            １２  第二のパーティション、
１３  床、                              １４  レール、
１５  ピン、                            ２０  第一のケーブルダクト、
２１，２１ａ〜２１ｃ  第二のケーブルダクト、
２２  ランプ、                          ３０  ガイド部材、
３１  床レールシステム、                ３２  部材３０の基部プレート、
３３，３４  ３０の垂直部、              ３５  Ｕ字状外形、
３６  床、                              ３７  ガイド部材、
３８，３９  ３７の垂直部、              ４０，４１  連結手段、
４２，４３  クランプ、                  ４４  部材４２の支持部、
４５，４６  部材４２のピン、            ４７，４８  部材４５及び４６の自由端部、
４９ａ，４９ｂ  部材１ａ及び１ｂ内の穴、
５０  部材４３の支持部、                ５１，５２  部材４３のピン、
５３  調整可能な足部、
Ａ  パーティション側部、                Ｂ  パーティション側部
Ｋ  コア、                              Ｓ  部材Ｋの外層又は外板、
Ｖ  垂直、                              ｙ  長手方向、
ａ〜ｄ  部材１の高さ、                  ｅ〜ｈ  部材１の幅、
α  角度、                              Ｉ〜III  小部屋、
１００  段付き部材、                    １０１，１０２  当接面、
１０３，１０４  外観面、                １０５  下方端縁、
１０６  上方端縁、                      １０７，１０８  副外観面、
１０９  段部、                          １１０  支持面、
１１１  頂面、                          １１２  底面、
２０５  Ｌ字状下方端縁、                ２０６  Ｌ字状上方端縁、
２０７  段部、                          ２０８  支持面、
２０９  副外観面、                      ２１０  頂面、
２１１  底面、                          ２１２  端縁、
ＧＨ２００  全体の高さ、                ＳＨ２００  基部の高さ、
ＳＴ２００  基部の奥行き、              ＫＴ２００  頭部の奥行き、
２５０  コーナー部材、                  ２５１  内側コーナー部材、
２５２  外側コーナー部材、              ２５３，２５４  当接面、
２５５，２５６  外観面、                ２５７  下方端縁、
２５８  上方端縁、                      ２５９〜２６２  副外観面、
２６３〜２６５  段部、                  ２６６〜２６８  支持面、
２６９  頂面、                          ２７０  底面、
２７１〜２７３  溝、                    ＧＨ２５０  全体の高さ、
ＳＨ２５０  基部の高さ、                ＳＴ２５０  基部の奥行き、
ＫＴ２５０  頭部の奥行き、              １１３  溝、
Ｌ１００  長さ、                        ＧＨ１００  全体の高さ、
ＳＨ１００  基部の高さ、                ＳＴ１００  基部の奥行き、
ＫＴ１００  頭部の奥行き、              ＨＡ１００  垂直軸線、
１５０  段付き部材、                    １５１，１５２  当接面、
１５３，１５４  外観面、                １５５  下方端縁、
１５６  上方端縁、                      １５７〜１６０  副外観面、
１６１〜１６３  段部、                  １６４〜１６６  支持面、
１６７  頂面、                          １６８  底面、
１６９〜１７１  溝、                    １６９ａ  部材１ａの溝、
１６９ｂ  部材１ｂの溝、                Ｌ１５０  長さ、
ＧＨ１５０  全体の高さ、                ＳＨ１５０  基部の高さ、
ＳＴ１５０  基部の奥行き、              ＫＴ１５０  頭部の奥行き、
２００  コーナー用部材、                ２０１，２０２  当接面、
２０３，２０４  外観面、
３００  連結用部材、                    ３０１〜３０３  当接面、
３０４，３０５  段部、                  ３０６，３０７  支持面、
３０８〜３１０  外観面、                ３１１，３１２  副外観面、
３１３  頂面、                          ３１４  底面
４００  交差用部材、                    ４０１〜４０４  当接面、
４０５，４０６  段部、                  ４０７〜４１０  外観面、
４１０〜４１１  副外観面、              ４１２，４１３  段部、
４１４  頂面、                          ４１５  底面、
４５０  交差用部材、                    ４５１〜４５４  当接面、
４５５〜４５８  外観面、                ４５９〜４６２  副外観面、
４６３〜４６６  副外観面、              ４６７〜４６９  段部、
４７０〜４７２  段部、                  ４７３  頂面、
４７４  底面、                          ４７５，４７６  段部、
４８０  交差用部材、
５００  方向転換用部材、                ５０１，５０２  当接面、
５０３，５０４  外観面、                ５０５，５０６  段部、
５０７，５０８  支持面、                ５０９，５１０  外観面、
５１１  頂面、                          ５１２  底面、
ＳＡ５００  ミラー軸線、                ５５０  方向転換用部材、
５５１，５５２  当接面、                ５５３，５５４  外観面、
５５５〜５６０  段部、                  ５６１〜５６６  支持面、
５６７  頂面、                          ５６８  底面、
５６９  溝、                            ５７０〜５７５  溝、
５８０  方向転換用部材、                ＳＡ５５０  ミラー軸線、
Ｌ５５０  長さ、                        ＧＨ５５０  全体の高さ、
ＳＨ５５０  基部の高さ、                ＳＴ５５０  基部の奥行き、
ＫＴ５５０  頭部の奥行き、              ＶＬ５８０  垂直長手中心面、
６００，６０１  什器用部材、            ６０２  シート用部材、
６０３  ベンチ、                        ６０４  テーブル用部材、
６０５  デスク、                        ６０６  部材６０３のシートパネル
６０７  部材６０３の第一の側方部材      ６０８  部材６０３の第二の側方部材、
６０９  部材６０４のテーブルトップ、    ６１０  部材６０４の第一の側方部材、
６１１  部材６０４の第二の側方部材
【図１】
0005606535.tif 000002
【図２】
0005606535.tif 000003
【図３】
0005606535.tif 000004
【図４】
0005606535.tif 000005
【図５】
0005606535.tif 000006
【図６】
0005606535.tif 000007
【図７】
0005606535.tif 000008
【図８】
0005606535.tif 000009
【図９】
0005606535.tif 000010
【図１０】
0005606535.tif 000011
【図１１】
0005606535.tif 000012
【図１２ａ】
0005606535.tif 000013
【図１２ｂ】
0005606535.tif 000014
【図１３】
0005606535.tif 000015
【図１４】
0005606535.tif 000016
【図１５】
0005606535.tif 000017
【図１６】
0005606535.tif 000018
【図１７】
0005606535.tif 000019
【図１８】
0005606535.tif 000020
【図１９】
0005606535.tif 000021
【図２０】
0005606535.tif 000022
【図２１】
0005606535.tif 000023
【図２２】
0005606535.tif 000024